(57)【要約】【課題】左右割りに構成された伝動ケースの一方の伝動ケースを容易に取り外すことができ、取外し作業に労力と時間を要しない作業性に優れたパワーユニットの伝動ケースを供する。【解決手段】パワーユニットＰの動力伝達装置Ｔを、左右割りされた左右伝動ケース70，11Ｌが収容し、左右伝動ケース70，11Ｌのうち車体外側に配される伝動ケース70が被動軸50の端部をベアリング35を介して軸受凹部76に嵌合して回転自在に軸支する伝動ケース構造において、左右伝動ケース70，11Ｌの互いに対向する合せ面を構成する左右外周縁部71，61であって、被動軸50に対して略上下対称な位置に、互いに対向する突出片77，67を左右伝動ケース70，11Ｌに各々形成したパワーユニットＰの伝動ケース構造。【選択図】図５
2008008320.tif 000002
【特許請求の範囲】
【請求項１】
車両に搭載されるパワーユニットの内燃機関の動力により回転する駆動軸と後輪に連動する被動軸との間に動力伝達手段が介装された動力伝達装置を、左右割りされた左右伝動ケースが収容し、
前記左右伝動ケースのうち車体外側に配される伝動ケースが前記被動軸の端部をベアリングを介して軸受凹部に嵌合して回転自在に軸支する伝動ケース構造において、
前記左右伝動ケースの互いに対向する合せ面を構成する左右外周縁部であって、前記被動軸に対して略上下対称な位置に、互いに対向する突出片を左右伝動ケースに各々形成したことを特徴とするパワーユニットの伝動ケース構造。
【請求項２】
前記互いに対向する突出片間に空隙を形成したことを特徴とする請求項１記載のパワーユニットの伝動ケース構造。
【請求項３】
前記動力伝達装置は、前記駆動軸と前記被動軸との間に動力伝達手段である無端状ベルトが架渡されるベルト式無段変速機であり、
前記左右伝動ケースは、前側の駆動軸から後方に延出して後側の被動軸を軸支することを特徴とする請求項１または請求項２記載のパワーユニットの伝動ケース構造。
【発明の詳細な説明】
【技術分野】
【０００１】
本発明は、自動二輪車に搭載されるパワーユニットの動力伝達装置を収容する伝動ケースに関する。
【背景技術】
【０００２】
自動二輪車に搭載されるパワーユニットの動力伝達装置は、内燃機関の動力により回転する駆動軸と後輪に連動する被動軸との間に無端状のベルトまたはチェーンが架渡されて構成されており、内燃機関の動力を後輪に伝達して走行させるものである。
この動力伝達装置は伝動ケースに収容されている。
【０００３】
この種のパワーユニットの伝動ケースは、通常内燃機関から左側に偏って後方に延出しており、この前後方向に長尺の伝動ケースは左右割りに構成されている。
特許文献１には、かかる構造の伝動ケースが開示されており、その開示された伝動ケースは、その左右割りされた左右伝動ケースの外周縁部に互いに対向する合せ面を有し、合せ面どうしを当接してボルトで締結し内部に動力伝達装置を収容している。
【０００４】
【特許文献１】特開２００５−２７３７６３号公報
【０００５】
同特許文献１に開示された伝動ケースは、車体外側となる左伝動ケースが、被動軸の左端をベアリングを介して軸支している。
したがって、ベアリングの外輪を嵌着すべく左伝動ケースには軸受凹部が形成されている。
【０００６】
左伝動ケースは、軸受凹部を被動軸の左端に内輪が嵌着されたベアリングの外輪に嵌入し、右伝動ケースの左側内面に配設された動力伝達装置を覆うようにして、外周縁部の合せ面を、右伝動ケースの外周縁部の合せ面に合せ、ボルトにより螺着緊締して右ケースに取り付けられる。
【発明の開示】
【発明が解決しようとする課題】
【０００７】
このようにして、左伝動ケースは、右伝動ケースに取り付けられるので、メンテナンス等で左伝動ケースを取り外す際、ボルトを緩めても左伝動ケースの軸受凹部が被動軸の左端に嵌着されたベアリングの外輪に嵌着されているので、左伝動ケースを容易に外すことができない場合がある。
【０００８】
すなわち、右伝動ケースに対して左伝動ケースを左方向に移動してベアリングの外輪に嵌着した軸受凹部を抜き取るようにしなければならないが、左伝動ケースの外周面は抜き取り方向に平行で、抜き取り方向の力を効果的に作用させることができず、取外し作業に手間がかかることがある。
【０００９】
本発明は、かかる点に鑑みなされたもので、その目的とする処は、左右割りに構成された伝動ケースの一方の伝動ケースを容易に取り外すことができ、取外し作業に労力と時間を要しない作業性に優れたパワーユニットの伝動ケースを供する点にある。
【課題を解決するための手段】
【００１０】
上記目的を達成するために、請求項１記載の発明は、車両に搭載されるパワーユニットの内燃機関の動力により回転する駆動軸と後輪に連動する被動軸との間に動力伝達手段が介装された動力伝達装置を、左右割りされた左右伝動ケースが収容し、前記左右伝動ケースのうち車体外側に配される伝動ケースが前記被動軸の端部をベアリングを介して軸受凹部に嵌合して回転自在に軸支する伝動ケース構造において、前記左右伝動ケースの互いに対向する合せ面を構成する左右外周縁部であって、前記被動軸に対して略上下対称な位置に、互いに対向する突出片を左右伝動ケースに各々形成したパワーユニットの伝動ケース構造とした。
【００１１】
請求項２記載の発明は、請求項１記載のパワーユニットの伝動ケース構造において、前記互いに対向する突出片間に空隙を形成したことを特徴とする。
【００１２】
請求項３記載の発明は、請求項１または請求項２記載のパワーユニットの伝動ケース構造において、前記動力伝達装置は、前記駆動軸と前記被動軸との間に動力伝達手段である無端状ベルトが架渡されるベルト式無段変速機であり、前記左右伝動ケースは、前側の駆動軸から後方に延出して後側の被動軸を軸支することを特徴とする。
【発明の効果】
【００１３】
請求項１記載のパワーユニットの伝動ケース構造によれば、左右伝動ケースの互いに対向する合せ面を構成する左右外周縁部であって、被動軸に対して略上下対称な位置に、互いに対向する突出片を左右伝動ケースに各々形成したので、互いに対向する突出片の間に工具を差し込み、両突出片の間を拡大するようにすれば、被動軸に内輪が嵌着されたベアリングの外輪に嵌着した軸受凹部を抜き取る方向に力が効果的に作用して、簡単に軸受凹部を抜き取ることができ、伝動ケースの外観面を傷つけることなく、一方の伝動ケースを容易に取り外すことができ、取外しの作業性に優れている。
【００１４】
請求項２記載のパワーユニットの伝動ケース構造によれば、互いに対向する突出片間に空隙を形成したので、互いに対向する突出片の間に工具を簡単に差し込むことができ、益々取外しの作業性が向上する。
【００１５】
請求項３記載のパワーユニットの伝動ケース構造によれば、動力伝達装置は、前記駆動軸と前記被動軸との間に動力伝達手段である無端状ベルトが架渡されるベルト式無段変速機であり、左右伝動ケースは、前側の駆動軸から後方に延出して後側の被動軸を軸支するので、ベルト式無段変速機の左右伝動ケースは、前後に長尺となり、伝動ケース自体の剛性が低くなり、一方の伝動ケースを取り外す際の力がベアリングの外輪に嵌着した軸受凹部に伝わり難くなるが、被動軸に対して略上下対称な位置にあってベアリングに近い位置にある互いに対向する突出片の間に工具を差し込み、両突出片の間を拡大するように力が働くので、ベアリングの外輪に嵌着した軸受凹部を抜き取る方向に力が効果的に作用して、伝動ケースを変形することなく、一方の伝動ケースを容易に取り外すことができ、取外しの作業性を高く維持することができる。
【発明を実施するための最良の形態】
【００１６】
以下、本発明の一実施の形態について図１ないし図６に基づき説明する。
本実施の形態に係るパワーユニットＰは、自動二輪車に搭載されるもので、同パワーユニットＰの一部省略した側面図を図１に示し、断面図を図２に示す。
【００１７】
該パワーユニットＰは、車体前側の内燃機関Ｅと内燃機関Ｅから左側に偏って後方に延出する動力伝達装置であるベルト式無段変速機Ｔおよびベルト式無段変速機Ｔの後部に設けられる減速ギヤ機構Ｒとからなる。
【００１８】
内燃機関Ｅは１気筒の４ストローク内燃機関であり、パワーユニットＰのユニットケース11は左右割りとされて、左ユニットケース11Ｌと右ユニットケース11Ｒからなり、シリンダブロック12のシリンダボア12aに摺動自在に嵌合されたピストン16の往復動がコンロッド17を介して、ユニットケース11に左右方向を指向して回転自在に支持されたクランク軸15に伝達され、クランク軸15が回転される。
【００１９】
シリンダブロック12は、水平近くまで前傾してユニットケース11から前方へ突出しており、シリンダブロック12にシリンダヘッド13が重ねられ、シリンダヘッド13に設けられる動弁機構20をシリンダヘッドカバー14が覆っている。
動弁機構20のカムシャフト21には吸気ロッカアーム22iとロッカアーム22eが揺動自在に接し、吸気ロッカアーム22iとロッカアーム22eにより図示しない吸気バルブと排気バルブが開閉駆動される。
【００２０】
カムシャフト21の右端部に嵌着された従動スプロケット23ｂとクランク軸15に嵌着された駆動スプロケット23ａとに掛け渡されたタイミングチェーン24により、クランク軸15の１／２の減速比でカムシャフト21は回転される。
また、シリンダヘッド13には、ピストン16の頂面が対向する天井面により画成される燃焼室25に電極を露出させて点火プラグ26が取り付けられる。
【００２１】
クランク軸15は、左ユニットケース11Ｌと右ユニットケース11Ｒに主ベアリング10，10を介して回転自在に軸支され、クランク軸15の右側の主ベアリング10より右方へ突出した右端部には交流発電機27のアウタロータ27ｒが嵌着され、その右方が右ユニットケース11Ｒに結合された発電機カバー28により覆われ、発電機カバー28に交流発電機27のインナステータ27ｓが取り付けられている。
【００２２】
左ユニットケース11Ｌは、後方に延びて前後に長尺であり、左方に向けて開放している。
この左ユニットケース11Ｌの左方に開放した部分を、伝動ケースカバー70が左方から覆い、内部にベルト式無段変速機Ｔを収容する動力伝達室Ｃが形成される。
【００２３】
すなわち、左ユニットケース11Ｌと伝動ケースカバー70とが、伝動ケースを構成しており、同伝動ケースを左右割りにした右伝動ケースが左ユニットケース11Ｌであり、左伝動ケースが伝動ケースカバー70である。
【００２４】
クランク軸15の左ユニットケース11Ｌに設けられた主ベアリング10より左方へ突出した左端部にはベルト式無段変速機Ｔの駆動プーリ30が取り付けられる。
駆動プーリ30は、駆動軸としてのクランク軸15に対して軸方向および回転方向に固定されて、Ｖベルト32が接触する円錐面を有する駆動側固定プーリ半体30aと、該駆動側固定プーリ半体30ａの右方に位置して、クランク軸15に対して軸方向に移動自在で回転方向に移動不能に結合されＶベルト32が接触する円錐面を有する駆動側可動プーリ片30ｂと、クランク軸15に対して軸方向および回転方向に固定されたランププレート30ｃと、駆動側可動プーリ片30bとランププレート30ｃとの間に配置された複数のウエイトローラ30ｄ等を有する。
【００２５】
一方、動力伝達室Ｃの後部には、駆動軸（クランク軸15）に対する被動軸50が、左ユニットケース11Ｌと伝動ケースカバー70とギヤケースカバー51に各ベアリング34，35，36を介して回転自在に軸支される。
この被動軸50にベアリング38，39を介して同軸に回転スリーブ37が相対回転自在に支持されており、同回転スリーブ37に前記駆動プーリ30と対をなす被動プーリ40が設けられている。
【００２６】
被動プーリ40は、回転スリーブ37と一体に取り付けられ、軸方向の移動が禁止された被動側固定プーリ半体40ａと、回転スリーブ37の外周に軸方向に移動可能で回転方向に若干移動可能な被動側可動プーリ半体40ｂと、被動側可動プーリ半体40ｂを被動側固定プーリ半体40ａに向けて付勢する円筒状の圧縮コイルスプリング40ｃとを有する。
【００２７】
前方の前記駆動プーリ30の駆動側固定プーリ半体30aと駆動側可動プーリ片30ｂの相対する円錐面間に巻き掛けられたＶベルト32が、後方において被動プーリ40の被動側固定プーリ半体40ａと被動側可動プーリ半体40ｂの相対する円錐面間に巻き掛けられる。
【００２８】
ベルト式無段変速機Ｔはこのように構成されているため、内燃機関11の回転速度が小さいとき、駆動プーリ30では、駆動側可動プーリ半体30bが駆動側固定プーリ半体30aから離れていて、Ｖベルト32の巻掛け半径は小さくなり、被動プーリ40では、圧縮コイルスプリング40ｃにより付勢された被動側可動プーリ半体40ｂが被動側固定プーリ半体40ａに接近していて、Ｖベルト32の巻掛け半径は大きくなるため、大きな変速比でクランク軸15の動力が出力軸に伝達される。
【００２９】
回転速度が増加すると、駆動プーリ30では、複数のウエイトローラ30dが、遠心力により径方向外方に移動して、駆動側可動プーリ半体片30bを駆動側固定プーリ半体30aに近づくように押圧するので、Ｖベルト32の巻掛け半径は大きくなり、被動プーリ40では、スプリング40のばね力に抗して従動側可動プーリ半体40が被動側固定プーリ半体40から離れて、Ｖベルト32の巻掛け半径は小さくなるため、変速比が小さくなる。
【００３０】
回転スリーブ37の左端より左側に延びた被動軸50に、遠心クラッチＬのクラッチアウタ48が嵌着されており、椀状をしたクラッチアウタ48の内側に、ドライブプレート45が回転スリーブ37の左端に嵌着されて設けられている。
【００３１】
回転スリーブ37が、所定の回転速度より大きな回転速度で回転すると、ドライブプレート45に揺動自在に支持された複数のクラッチシュー46が、クラッチスプリング47のばね力に抗して遠心力により径方向外方に揺動して、各クラッチシュー46の外周面に設けられた摩擦部材46ａがクラッチアウタ48の内周面に当接し、遠心クラッチＬが接続状態となり、被動プーリ40の回転が被動軸50に伝達される。
【００３２】
左ユニットケース11Ｌの後部の右側には、ギヤケースカバー51が被せられて減速ギヤ室52が形成され、同減速ギヤ室52内に減速ギヤ機構Ｒが収容される。
減速ギヤ室52内には、被動軸50と平行に、減速ギヤ軸53がベアリング54，54を介して回転自在に軸支され、さらに後車軸55がベアリング56，56を介して回転自在に軸支され、後車軸55はギヤケースカバー51を貫通して右半部を外部に突出させて、同右半部に後輪が支持される。
【００３３】
被動軸50の減速ギヤ室52内に突出した部分に小径ギヤ50ａが形成され、減速ギヤ軸53に一体に形成された大径ギヤ53ａが小径ギヤ50ａと噛合し、減速ギヤ軸53に一体に形成された小径ギヤ53ｂが、後車軸55に嵌着された大径ギヤ55ａと噛合している。
したがって、被動軸50の回転は、減速ギヤ機構Ｒを介して減速されて後車軸55に伝達されて後輪が回転される。
【００３４】
以上のように、内燃機関Ｅのベルト式無段変速機Ｔクランク軸15の動力は、ベルト式無段変速機Ｔの駆動プーリ30に入力され、ベルト式無段変速機Ｔで内燃機関Ｅの回転速度に応じた変速比で自動的に変速されて被動プーリ40に伝達され、さらに遠心クラッチＬを介して被動軸50に伝達される。
そして、被動軸50の回転が減速ギヤ機構Ｒにより減速された後に後車軸55に伝達される。
【００３５】
ベルト式無段変速機Ｔを収容する動力伝達室Ｃを構成する伝動ケースカバー70と左ユニットケース11Ｌは、前後に長尺で、左右割りされた左伝動ケースと右伝動ケースに相当し、互いの合せ面71ａ，61ａが鉛直同一平面にあって前後に長い長円の外周縁部71，61に沿って環状に形成されている（図１，図４参照）。
【００３６】
図３および図４に図示するように、伝動ケースカバー70は、合せ面71ａを構成する環状の外周縁部71は、後方下部に排風口である切欠き開口部72が形成されて、同切欠き開口部72を除く外周縁部71の合せ面71ａにはシール部材80が嵌挿される溝条71ｂが形成されている。
【００３７】
伝動ケースカバー70の外周縁部71には、合せ面71ａに沿ってボルト締結用の孔が形成された取付けボス部73が複数突出形成されている。
また、伝動ケースカバー70の略中央部にも取付けボス部74が動力伝達室Ｃ内に向けて合せ面71ａまで突出形成されている。
【００３８】
伝動ケースカバー70の前側のクランク軸15が臨む部分は吸風用の円開口75が形成され、後側の被動軸50が臨む部分には、ベアリング35の外輪が嵌入される軸受凹部76が形成されている。
【００３９】
そして、伝動ケースカバー70の外周縁部71であって、軸受凹部76（または被動軸50）に対して略上下対称な位置に、合せ面71ａに沿って合せ面71ａと同一面を有した矩形板状の突出片77，78が形成されている。
なお、上側の突出片77は、取付けボス部73と一体に形成されている。
【００４０】
該伝動ケースカバー70が被せられる左ユニットケース11Ｌには、図１を参照して、外周縁部61の合せ面61ａが合せ面71ａに対向し、切欠き開口部72に対応して切欠き開口部62が形成されている。
【００４１】
左ユニットケース11Ｌの外周縁部61には、伝動ケースカバー70の複数の取付けボス部73にそれぞれ対応して雌ねじが刻設された取付けボス部63が形成されている。
取付けボス部63は、合せ面61ａと同一面を有している。
また、左ユニットケース11Ｌの略中央部に、伝動ケースカバー70の取付けボス部74に対応して取付けボス部64が動力伝達室Ｃ内に向けて合せ面61ａまで突出形成されている
【００４２】
そして、伝動ケースカバー70の突出片77，78に対向して左ユニットケース11Ｌの外周縁部61に、矩形板状の突出片67，68が形成されている。
突出片67，68は、被駆軸50に対して略上下対称な位置にあって、合せ面61ａより僅かに右方に引いた位置に形成されている。
【００４３】
以上のような左ユニットケース11Ｌに、伝動ケースカバー70が取り付けられるときは、被駆軸50の左端に内輪が嵌着されたベアリング35の外輪に、伝動ケースカバー70の軸受凹部76を嵌合させながら、左ユニットケース11Ｌの外周縁部61の合せ面61ａに伝動ケースカバー70の外周縁部71の溝条71ｂにシール部材80が嵌挿された合せ面71ａを当接し、ボルト81を伝動ケースカバー70の取付けボス部63，64の孔に挿入し、左ユニットケース11Ｌの取付けボス部73，74の雌ねじに螺合し緊締する。
【００４４】
このようにして伝動ケースカバー70が左ユニットケース11Ｌに取り付けられると、図５および図６に示すように、伝動ケースカバー70側の突出片77，78に対して左ユニットケース11Ｌの突出片67，68が空隙を存して相対向している。
【００４５】
なお、左ユニットケース11Ｌに取り付けられた伝動ケースカバー70の前部左側にフロントＬカバー82が取り付けられて、伝動ケースカバー70の円開口75を覆う。
クランク軸15に嵌着された駆動側固定プーリ半体30aの左側面にはファン83が形成されていて、クランク軸15とともに駆動側固定プーリ半体30aが回転すると、ファン83の回転で円開口75から動力伝達室Ｃ内に空気が吸入され、ベルト式無段変速機Ｔを冷却し、後方の切欠き開口部62，72より排出される。
【００４６】
メンテナンス等で伝動ケースカバー70を、左ユニットケース11Ｌから取り外すときは、まずボルト81を外して伝動ケースカバー70を左ユニットケース11Ｌに対して左方に引き抜くようにすればよいが、伝動ケースカバー70の軸受凹部76が被駆軸50の左端に設けられたベアリング35の外輪に嵌着されているので、取り外すことが容易ではない。
【００４７】
そこで、本実施の形態の伝動ケース構造では、被駆軸50の上方において相対向する伝動ケースカバー70側の突出片77と左ユニットケース11Ｌの突出片67との間の空隙に、先端が平たく尖ったマイナスドライバーの如き工具の先端を差し込み、空隙を拡大するように基端側を持って倒すように操作することで、てこの原理を利用して伝動ケースカバー70の上側を容易に左方に移動でき、同様に、被駆軸50の下方において相対向する伝動ケースカバー70側の突出片78と左ユニットケース11Ｌの突出片68との間の空隙に工具を差し込み、空隙を拡大するように操作することで、伝動ケースカバー70の下側を容易に左方に移動できる。
【００４８】
すなわち、ベアリング35の外輪に嵌着した軸受凹部76に近い伝動ケースカバー70の上下位置で左ユニットケース11Ｌに対して伝動ケースカバー70を左方に移動できるので、ベアリング35の外輪に嵌着した軸受凹部76を抜き取る方向に力が効果的に作用して、簡単に軸受凹部76を抜き取ることができ、軸受凹部76が抜ければ伝動ケースカバー70は取り外された状態にある。
【００４９】
このように、伝動ケースカバー70を変形したり傷つけたりすることなく、左ユニットケース11Ｌから伝動ケースカバー70を容易に取り外すことができ、取外しの作業性に優れている。
【００５０】
なお、左ユニットケース11Ｌの突出片67，68および伝動ケースカバー70の突出片77，78は、左ユニットケース11Ｌおよび伝動ケースカバー70を加工する際に、左ユニットケース11Ｌおよび伝動ケースカバー70を固定するための押え片としても利用することができるものである。
【図面の簡単な説明】
【００５１】
【図１】本発明の一実施の形態に係るパワーユニットの一部省略した側面図である。
【図２】同パワーユニットの断面図である。
【図３】伝動ケースカバーの側面図である。
【図４】同伝動ケースカバーの裏面図である。
【図５】パワーユニットの後部を斜め上方より視た斜視図である。
【図６】パワーユニットの後部を斜め下方より視た斜視図である。
【符号の説明】
【００５２】
Ｐ…パワーユニット、Ｅ…内燃機関、Ｔ…ベルト式無段変速機、Ｃ…動力伝達室、Ｌ…遠心クラッチ、Ｒ…減速ギヤ機構、
11…ユニットケース、11Ｌ…左ユニットケース、11Ｒ…右ユニットケース、
15…クランク軸、30…駆動プーリ、32…Ｖベルト、35…ベアリング、40…被動プーリ、50…被動軸、55…後車軸、
61…外周縁部、61ａ…合せ面、63，64…取付けボス部、67，68…突出片、
70…伝動ケースカバー、71…外周縁部、71ａ…合せ面、71ｂ…溝条、73，74…取付けボス部、76…軸受凹部、77，78…突出片、80…シール部材。
【図１】
2008008320.tif 000003
【図２】
2008008320.tif 000004
【図３】
2008008320.tif 000005
【図４】
2008008320.tif 000006
【図５】
2008008320.tif 000007
【図６】
2008008320.tif 000008